(57)【要約】【課題】移動体の移動ストロークを長くできてその電気的出力の分解能を大きくとることができる電子部品を提供すること。【解決手段】ケース８０と、ケース８０にスライド移動自在に収納される移動体３０と、移動体３０のスライド移動によって電気的出力を変化する摺動子４０等からなる電気的機能部と、移動体３０の上部に揺動自在に設置されるキートップ１３０と、第１，第２のリンク５１，６１を連結部７１にて回動自在に連結してなる移動体駆動機構５０とを具備する。第１のリンク５１の一端側をケース８０に回動自在に取り付け、第２のリンク６１の他端側を移動体３０に回動自在に取り付ける。キートップ１３０に設けた押圧当接部１３５を当接部７５に当接させる。キートップ１３０を揺動し当接部７５を移動させることで移動体３０をスライド移動させる。【選択図】図２
2011210402.tif 000002
【特許請求の範囲】
【請求項１】
固定側部材と、前記固定側部材に対してスライド移動自在に設置される移動体と、前記移動体のスライド移動によって電気的出力を変化する電気的機能部と、前記移動体の上部に揺動自在に設置されるキートップと、を具備し、
第１，第２のリンクを連結部にて回動自在に連結してなる少なくとも１つの移動体駆動機構を有し、この移動体駆動機構の一端側を前記固定側部材に回動自在に取り付け、他端側を前記移動体に回動自在に取り付けるとともに、
前記キートップに設けた押圧当接部を前記連結部の部分に設けた当接部に当接させ、キートップを揺動して当接部を移動させることで移動体をスライド移動させることを特徴とする電子部品。
【請求項２】
請求項１に記載の電子部品であって、
前記キートップの押圧当接部は曲線形状に形成されていることを特徴とする電子部品。
【請求項３】
請求項２に記載の電子部品であって、
略リング形状で中央に挿通部を設けるとともに、一対の対向する位置に弾発部を設けてなる弾発手段を具備し、
前記弾発手段の挿通部に前記移動体を設置するとともに、前記一対の弾発部を前記キートップの揺動中心軸を挟んだその両側に設けた一対の被弾接部に弾接させることで、前記キートップを中立位置に保持することを特徴とする電子部品。
【発明の詳細な説明】
【技術分野】
【０００１】
本発明は、スライド式電子部品の上部に揺動自在にキートップを設置し、このキートップによって前記スライド式電子部品を操作する構造の電子部品に関するものである。
【背景技術】
【０００２】
従来、たとえばビデオカメラやデジタルカメラのズーム用の操作部材として、シーソー型電子部品が利用されている。この種のシーソー型電子部品は、たとえば特許文献１の図２に示すように、スライド式電子部品（１３０）の上部に揺動自在にキートップ（１５０）を設置し、キートップ（１５０）を揺動した際に下降した側のキートップ（１５０）の下面に設けた押圧当接部（１５７）が移動体（４０）に設けた当接部（４７）に当接して移動体（４０）を一方のスライド移動方向に押圧してスライド移動させ、スライド式電子部品（１３０）の電気的出力を変化させるように構成されている。
【先行技術文献】
【特許文献】
【０００３】
【特許文献１】特開２００９−２１４０７号公報
【発明の概要】
【発明が解決しようとする課題】
【０００４】
しかしながら上記特許文献１に示すシーソー型電子部品においては、キートップ（１５０）に設けた押圧当接部（１５７）によって直接スライド式電子部品（１３０）の移動体（４０）の当接部（４７）を押圧する構成なので、キートップ（１５０）の揺動による上下動移動距離に対して移動体（４０）のスライド移動距離（ストローク）をそれほど大きくすることができなかった。移動体（４０）のストロークが大きくとれないと、スライド式電子部品（１３０）の電気的出力の分解能が低下してしまう。この問題はシーソー型電子部品を小型化すればするほど大きくなる。
【０００５】
前記移動体（４０）のストロークを大きくするには、キートップ（１５０）の揺動軸（１０５，１５３）の高さをスライド式電子部品（１３０）に対してより高い位置に設置し、これによってキートップ（１５０）の揺動による上下移動距離を長くするようにすればよい。しかしながらこのように構成するとシーソー型電子部品の高さ寸法（厚み寸法）が大きくなり、シーソー型電子部品の厚みの薄型化が阻害されてしまう。
【０００６】
本発明は上述の点に鑑みてなされたものでありその目的は、キートップの揺動寸法が短くても移動体の移動ストロークを長くできてその電気的出力の分解能を大きくとることができる、小型化に好適な電子部品を提供することにある。
【課題を解決するための手段】
【０００７】
本願請求項１に記載の発明は、固定側部材と、前記固定側部材に対してスライド移動自在に設置される移動体と、前記移動体のスライド移動によって電気的出力を変化する電気的機能部と、前記移動体の上部に揺動自在に設置されるキートップと、を具備し、第１，第２のリンクを連結部にて回動自在に連結してなる少なくとも１つの移動体駆動機構を有し、この移動体駆動機構の一端側を前記固定側部材に回動自在に取り付け、他端側を前記移動体に回動自在に取り付けるとともに、前記キートップに設けた押圧当接部を前記連結部の部分に設けた当接部に当接させ、キートップを揺動して当接部を移動させることで移動体をスライド移動させることを特徴とする電子部品にある。
【０００８】
本願請求項２に記載の発明は、請求項１に記載の電子部品であって、前記キートップの押圧当接部は曲線形状に形成されていることを特徴とする電子部品にある。
【０００９】
本願請求項３に記載の発明は、請求項２に記載の電子部品であって、略リング形状で中央に挿通部を設けるとともに、一対の対向する位置に弾発部を設けてなる弾発手段を具備し、前記弾発手段の挿通部に前記移動体を設置するとともに、前記一対の弾発部を前記キートップの揺動中心軸を挟んだその両側に設けた一対の被弾接部に弾接させることで、前記キートップを中立位置に保持することを特徴とする電子部品にある。
【発明の効果】
【００１０】
請求項１に記載の発明によれば、移動体駆動機構の連結部の部分に設けた当接部をキートップの押圧当接部が押圧してこれを下降させる運動を、移動体のスライド移動運動に変換するので、キートップの揺動距離に対して移動体の移動ストロークを長くすることができる。このため電子部品の薄型化のためにキートップの揺動中心軸の位置を低くしてその揺動ストロークを短くしたり、電子部品全体の外形寸法の小型化のためにキートップの外形寸法が小型化されてその揺動ストロークが短くなったりしても、電気的出力の分解能を大きく維持することができ、電子部品の薄型化・小型化に対応できる。
【００１１】
請求項２に記載の発明によれば、キートップがどの揺動位置にあっても、その押圧当接部を常に移動体駆動機構の当接部に当接させておくことができるので、キートップを揺動した際に、両者間が接離することで音が生じたり衝撃が発生したりすることを防止できる。
【００１２】
請求項３に記載の発明によれば、移動体を囲む位置に弾発手段を設置したので、電子部品の厚みを厚くすることなく、キートップを確実に中立位置に弾発・保持することができる。
【図面の簡単な説明】
【００１３】
【図１】シーソー型電子部品１の斜視図である。
【図２】シーソー型電子部品１の側断面図である。
【図３】シーソー型電子部品１（その上部の部品）の分解斜視図である。
【図４】シーソー型電子部品１（その下部の部品）の分解斜視図である。
【図５】シーソー型電子部品１（その上部の部品）を下側から見た分解斜視図である。
【図６】シーソー型電子部品１（その下部の部品）を下側から見た分解斜視図である。
【図７】移動体駆動機構５０の拡大分解斜視図である。
【図８】シーソー型電子部品１の組立途中の状態を示す斜視図である。
【図９】シーソー型電子部品１の動作説明図である。
【発明を実施するための形態】
【００１４】
以下、本発明の実施形態を図面を参照して詳細に説明する。図１は本発明の１実施形態に係る電子部品（以下「シーソー型電子部品」という）１の斜視図、図２はシーソー型電子部品１の側断面図（図１のＡ−Ａ断面図）、図３はシーソー型電子部品１（その上部の部品）の分解斜視図、図４はシーソー型電子部品１（その下部の部品）の分解斜視図、図５はシーソー型電子部品１（その上部の部品）を下側から見た分解斜視図、図６はシーソー型電子部品１（その下部の部品）を下側から見た分解斜視図である。これらの図に示すようにシーソー型電子部品１は、取付部材（以下「取付板」という）１０上に、回路基板（以下「フレキシブル回路基板」という）２０と、摺動子４０を取り付けた移動体３０と、一対の移動体駆動機構５０と、ケース８０と、弾発手段（以下「弾発バネ」という）１１０と、キートップ１３０とを設置して構成されている。なお以下の説明において、「上」とは移動体３０からキートップ１３０側を見る方向をいい、「下」とはその反対方向をいうものとする。また下記する移動体３０がケース８０内を移動していく移動方向をスライド移動方向Ｃといい、水平面上においてスライド移動方向Ｃに直交する方向を左右方向という。
【００１５】
取付板１０は硬質板であり、例えば金属板や合成樹脂板によって構成されている。取付板１０の所定位置（４か所）には貫通する小孔からなる取付部１１が設けられている。
【００１６】
フレキシブル回路基板２０は可撓性を有する絶縁基板２２の表面に一対の摺接パターン２３を形成し、その周囲の所定位置（前記各取付部１１に対向する４か所の位置）に各取付部１１と同一形状の貫通する小孔からなる取付固定部２１を形成して構成されている。摺接パターン２３は電気的機能部であり、一対の摺接パターン２３の内、一方は抵抗体パターン、他方は導電体パターンである。フレキシブル回路基板２０上には図示しない回路パターンが配線され、摺接パターン２３に接続されている。
【００１７】
移動体３０は合成樹脂を略矩形平板状に成形し、その下面の摺動子取付面３１から一対の取付突起３３を突出して構成されている。移動体３０の上面の両端近傍位置（スライド移動方向Ｃを向いてその前後方向の両端近傍位置）には、一対の軸受部３５が形成されている。軸受部３５はスライド移動方向Ｃに直交する方向に向かって延びる略半円形の凹溝によって構成されている。
【００１８】
摺動子４０は弾性金属板を略矩形状に形成してなる摺動子基部４１の一辺から一対のアーム部４３を突出し、それらの根元部分を１８０°折り返し、折り返した先端近傍部分を弾接部４５として構成されている。摺動子基部４１には、一対の取付孔４７が設けられている。摺動子４０は電気的機能部である。
【００１９】
図７は移動体駆動機構５０の拡大分解斜視図である。同図に示すように移動体駆動機構５０は、第１のリンク５１と第２のリンク６１とを具備して構成されている。第１のリンク５１は合成樹脂の成形品であり、柱状のアーム部５３の一端側に左右方向に向かって突出する円柱状の軸部５５を設け、他端側に左右方向に向かって開口する円形の軸受部５７を設けて構成されている。第２のリンク６１は合成樹脂の成形品であり、柱状のアーム部６３の一端側に左右方向の内の一方の方向に向かって突出する円柱状の軸部６５を設け、他端側に左右方向に向かって突出する円柱状の軸部６７を設けて構成されている。つまり軸部５５の中心軸と軸受部５７の中心軸と軸部６５の中心軸と軸部６７の中心軸とは平行になっている。軸部５５は下記するケース８０に設けた軸受部８５に回動自在に挿入される寸法に形成されている。軸受部５７は軸部６５を回動自在にぴったり挿入される寸法に形成されている。軸部６７は前記移動体３０に設けた軸受部３５に回動自在にぴったり挿入される寸法に形成されている。
【００２０】
そして第１のリンク５１の軸受部５７に第２のリンク６１の軸部６５を回動自在にぴったり挿入することで連結部７１を構成し、図４に示すような移動体駆動機構５０が構成される。第１，第２のリンク５１，６１を回動自在に連結した連結部７１の部分の凸となっている上部側の部分の外周面は、下記するキートップ１３０の押圧当接部１３５が当接する当接部７５となっている。
【００２１】
ケース８０はスライド移動方向Ｃに向かって長尺な略長方形状のケース本体部８１と、ケース本体部８１の左右両側辺に連結して設けられる略矩形状のキートップ取付部１０１とを一体に成形して構成されている。ケース本体部８１はその下面に略矩形状に凹む移動体収納部８３を有しており、その両端近傍位置にはスライド移動方向Ｃに直交する方向に向かって延びる半円形凹状の軸受部８５が設けられ、さらにケース本体部８１の上面中央にはスライド移動方向Ｃに向かって伸びる直線状の穴からなる挿通部８７が同一直線上に一対設けられている。
【００２２】
キートップ取付部１０１は、それらの左右両外周辺の中央付近にキートップ軸支部１０３を設け、またそれらの下面の外側の角部付近に下方向に向かって突出する一対ずつの小突起状の取付固定部１０５を設け、さらにそれらの上面に一対ずつの小突起状のバネ取付部１０７を設けて構成されている。キートップ軸支部１０３は、キートップ取付部１０１の上面上にアーチ形状の軸支部１０９を設けることで、その中央に下記するキートップ１３０の軸部１３１を挿入・軸支する軸支孔１１１を形成して構成されている。各取付固定部１０５は前記フレキシブル回路基板２０の各取付固定部２１に対向する位置に設けられ、各バネ取付部１０７は下記する弾発バネ１１０の各取付部１１５に対向する位置に設けられている。
【００２３】
弾発バネ１１０は金属製の弾性板を略長円形のリング形状に形成して構成されており、これによって中央に挿通部１１１を設けている。弾発バネ１１０のスライド移動方向Ｃに沿って１８０°対向する位置には一対の弾発部１１３が設けられ、弾発バネ１１０の左右方向に沿って１８０°対向する位置には一対ずつの小孔からなる取付部１１５が設けられている。弾発部１１３は略矩形状の板部分を上方向に向かって凸となるように円弧状に湾曲して構成されている。弾発バネ１１０の取付部１１５の両側部分は屈曲していてそれより先の部分は上方向に向かって斜めに上昇するアーム部１１９となっている。
【００２４】
キートップ１３０は合成樹脂を略長円形の板状に成形して構成されており、その左右両側面の中央から外方に向かって軸部１３１を突出し、またその下面中央にスライド移動方向Ｃに沿って略棒状に伸びる突条部１３３を形成している。突条部１３３の下面中央からスライド移動方向Ｃに沿って同一距離の位置には、曲線状の凹面からなる一対の押圧当接部１３５が形成され、さらにスライド移動方向Ｃに沿ってそれらの外側位置には、直線状で外側に向かって上方向に傾斜する傾斜面からなる被弾接部１３７が形成されている。  押圧当接部１３５の曲線形状は、このキートップ１３０が揺動する各位置において下記するように移動体駆動機構５０の当接部７５が当接する凹状の曲線形状に形成されている。
【００２５】
次にシーソー型電子部品１の組立方法を説明する。まず予め移動体３０の摺動子取付面３１に摺動子４０の摺動子基部４１を設置し、その際移動体３０の取付突起３３を摺動子４０の取付孔４７に挿入し、何れか一方の取付突起３３の先端を熱カシメして固定する。また前述のように、第１，第２のリンク５１，６１を用いて移動体駆動機構５０を組み立てておく。一方ケース８０のキートップ取付部１０１の表面に弾発バネ１１０の取付部１１５を形成している部分を載置し、ケース８０の各バネ取付部１０７を弾発バネ１１０の各取付部１１５に挿入し、各バネ取付部１０７の先端を熱カシメする。
【００２６】
次にケース８０下面の移動体収納部８３内に前記一対の移動体駆動機構５０と移動体３０とを収納し、その際、各移動体駆動機構５０の軸部５５をケース８０の軸受部８５に回動自在に挿入し、各移動体駆動機構５０の軸部６７を移動体３０の軸受部３５に回動自在に挿入する。
【００２７】
このときの状態を図８に示す。同図に示すように、弾発バネ１１０の挿通部１１１にケース８０のケース本体部８１、すなわち移動体３０が設置される。同時に移動体駆動機構５０の連結部７１の部分は、上側（キートップ１３０側）に凸となるように折り曲げられた状態で、ケース８０の挿通部８７を通してケース８０の上面側に突出する。
【００２８】
そして前記移動体３０等を収納したケース８０の下面側にフレキシブル回路基板２０と取付板１０とを設置し、ケース８０に設けた各取付固定部１０５をフレキシブル回路基板２０の取付固定部２１と取付板１０の取付部１１に挿入し、各取付固定部１０５の先端を熱カシメによって固定する。そして前記ケース８０の上にキートップ１３０を載置し、その際キートップ１３０の軸部１３１をケース８０の軸支孔１１１にスナップインによって回動自在に係合する。これによってシーソー型電子部品１が完成する。なお上記組立手順はその一例であり、他の各種異なる組立手順を用いて組み立てても良いことはいうまでもない。なおこのシーソー型電子部品１において、ケース８０とフレキシブル回路基板２０と取付板１０とを固定側部材という。
【００２９】
このとき図２に示すように、一対の移動体駆動機構５０の当接部７５は何れもキートップ１３０の一対の押圧当接部１３５に当接している。また弾発バネ１１０の一対の弾発部１１３は何れもキートップ１３０の一対の被弾接部１３７に弾接してキートップ１３０を中立位置（キートップ１３０が水平となる位置）に弾発・保持している。つまりこのとき一対の当接部７５は同一高さにあり、移動体３０はケース８０の移動体収納部８３内の中央に位置している。
【００３０】
そして例えば図２に示すキートップ１３０の左側の上面を下方向（矢印Ｅ方向）に向けて押圧すれば、キートップ１３０は軸部１３１（その中心の揺動中心軸）を中心にして揺動し、図９に示すように左側が下降する。これによって左側の移動体駆動機構５０の当接部７５が下方向に押圧され、その第１のリンク５１は軸部５５を中心にして下方向に向かって回転し、同時にその第２のリンク６１の軸部６７が移動体３０を水平に右方向（矢印Ｇ方向）に押圧してこれを移動し、移動した距離だけ摺動子４０の弾接部４５が摺接パターン２３上を摺動してその電気的出力を変化する。このときもう一方の移動体駆動機構５０の第２のリンク６１の軸部６７も右方向に移動するので、同時にその移動体駆動機構５０の当接部７５は上方向に上昇するが、押圧当接部１３５は前述のようにキートップ１３０が揺動する各位置において当接部７５が当接する曲線形状に形成されているので、上昇した当接部７５はキートップ１３０の押圧当接部１３５に当接した状態を維持する。つまりキートップ１３０が何れの揺動位置にあっても、両移動体駆動機構５０の当接部７５はキートップ１３０の押圧当接部１３５に当接している。
【００３１】
このときキートップ１３０の下降した左側の被弾接部１３７を弾発している弾発バネ１１０の弾発部１１３は押圧されて下降し、より大きく撓んだアーム部１１９の弾発力によってキートップ１３０には中立位置への自動復帰力が生じる。従って前記キートップ１３０への押圧を解除すれば、キートップ１３０は元の中立位置へ自動復帰し、移動体駆動機構５０が前記と逆の動作を行って、移動体３０は元の中央位置に自動復帰する。なお図９に示すようにキートップ１３０が揺動して上昇した右側の被弾接部１３７を弾発している弾発バネ１１０の弾発部１１３は被弾接部１３７の上昇に追従して上昇している。つまりキートップ１３０が何れの揺動位置にあっても、弾発バネ１１０の両弾発部１１３はキートップ１３０の被弾接部１３７に当接している。
【００３２】
以上説明したようにこのシーソー型電子部品１は、ケース８０と、ケース８０に対してスライド移動自在に設置される移動体３０と、移動体３０のスライド移動によって電気的出力を変化する摺動子４０等からなる電気的機能部と、移動体３０の上部に揺動自在に設置されるキートップ１３０と、第１，第２のリンク５１，６１を連結部７１にて回動自在に連結してなる移動体駆動機構５０とを有し、この移動体駆動機構５０の一端側をケース８０に回動自在に取り付け、他端側を移動体３０に回動自在に取り付けるとともに、キートップ１３０に設けた押圧当接部１３５を連結部７１の部分に設けた当接部７５に当接させ、キートップ１３０を揺動することで当接部７５を移動させて移動体３０をスライド移動させる構成となっている。
【００３３】
そしてこのシーソー型電子部品１においては前述のように、移動体駆動機構５０の連結部７１の部分に設けた当接部７５をキートップ１３０の押圧当接部１３５が押圧してこれを下降させる運動を、移動体３０のスライド移動運動に変換するので、キートップ１３０の揺動距離に対して移動体３０の移動ストロークを長くすることができる。このためシーソー型電子部品１の薄型化のためにキートップ１３０の揺動中心軸の位置を低くしてその揺動ストローク（揺動時の上下動寸法）を短くしたり、シーソー型電子部品１全体の外形寸法の小型化のためにキートップ１３０の外形寸法が小型化してその揺動ストロークが短くなったりしても、電気的出力の分解能を大きく維持することができる。つまりシーソー型電子部品１の薄型化・小型化に対応できる。
【００３４】
また前述のように、キートップ１３０の押圧当接部１３５は曲線形状に形成されているので、キートップ１３０がどの揺動位置にあっても、押圧当接部１３５を常に移動体駆動機構５０の当接部７５に当接させておくことができ、このためキートップ１３０を揺動した際に、両者間が接離することで音が生じたり、衝撃が発生したりすることを防止できる。さらにこのシーソー型電子部品１においては弾発バネ１１０の弾発部１１３もキートップ１３０の被弾接部１３７に常に当接しているので、この部分においても両者が離れた位置から当接する際に生じる音や衝撃の発生を防止できる。
【００３５】
また前述のように、略リング形状で中央に挿通部１１１を設けるとともに、一対の対向する位置に弾発部１１３を設けてなる弾発バネ１１０を具備し、弾発バネ１１０の挿通部１１１に移動体３０（及び一対の移動体駆動機構５０）を設置するとともに、一対の弾発部１１３をキートップ１３０の揺動中心軸を挟んだその両側に設けた一対の被弾接部１３７に弾接させることで、キートップ１３０を中立位置に保持しているので、シーソー型電子部品１の厚みを厚くすることなく、キートップ１３０を確実に中立位置に弾発・保持することができる。
【００３６】
なお上記実施形態ではスライド移動方向Ｃとして直線方向を示したが、スライド移動方向Ｃは、円弧方向やその他の曲線方向など、直線方向以外の各種方向を含む概念である。
【００３７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記シーソー型電子部品１においては、ケース８０とフレキシブル回路基板２０と取付板１０とを固定側部材としたが、移動体３０に対して静止している部材であれば、ケース８０等以外の部材で固定側部材を構成してもよい。要は固定側部材に対して移動体をスライド移動自在に設置すればよい。
【００３８】
また上記シーソー型電子部品１では、摺接パターン２３として抵抗体パターンと導電体パターンとを用いたが、スイッチパターンなどの他の機能を有する摺接パターンを用いてもよい。また上記シーソー型電子部品１では、電気的機能部として摺動子５０と摺接パターン２３を用いたが、これら以外の構成要素からなる電気的機能部であってもよい。要は移動体３０のスライド移動によって電気的出力を変化する電気的機能部であればよい。
【００３９】
また移動体駆動機構５０は２つ設置する以外に、１つ、さらには３つ以上設置しても良い。即ち少なくとも１つ以上設置すればよい。また上記シーソー型電子部品１では移動体駆動機構５０の当接部７５を、第１，第２のリンク５１，６１を回動自在に連結した連結部７１の部分の外周面としたが、たとえば前記連結部７１の部分から上方向に突起を突出してその先端部分などを当接部としてもよい。
【００４０】
また上記シーソー型電子部品１では、キートップ１３０の押圧当接部１３５を、このキートップ１３０が揺動する各位置において当接部７５が当接する曲線形状に形成したが、場合によっては直線形状に形成しても良い。
【符号の説明】
【００４１】
１  シーソー型電子部品（電子部品）
１０  取付板（取付部材、固定側部材）
２０  フレキシブル回路基板（回路基板、固定側部材）
２３  摺接パターン（電気的機能部）
３０  移動体
４０  摺動子（電気的機能部）
５０  移動体駆動機構
５１  第１のリンク
６１  第２のリンク
７１  連結部
７５  当接部
８０  ケース（固定側部材）
１１０  弾発バネ（弾発手段）
１１１  挿通部
１１３  弾発部
１３０  キートップ
１３５  押圧当接部
１３７  被弾接部
【図１】
2011210402.tif 000003
【図２】
2011210402.tif 000004
【図３】
2011210402.tif 000005
【図４】
2011210402.tif 000006
【図５】
2011210402.tif 000007
【図６】
2011210402.tif 000008
【図７】
2011210402.tif 000009
【図８】
2011210402.tif 000010
【図９】
2011210402.tif 000011